(57)【要約】【課題】画像形成装置において、記録紙スキューの発生を軽減する。【解決手段】画像形成装置１は、記録紙を感光体ドラム２とそれに対向するように配置された転写ローラ７で挟み、感光体ドラム２の表面に現像されたトナー像を記録紙上に転写して画像を形成する。転写ローラ７は、その回動軸７ａの端部が軸受部材７２により保持された状態で、ローラ保持部材７１に配置されている。ローラ保持部材７１には２対の調整突起７１ｃが設けられた係合部７１ｂが形成されており、軸受部材７２は、突起部７２ａが係合部７１ｂに係合されてローラ保持部材７１に配置されている。突起部７２ａが調整突起７１ｃに位置決めされる位置を変更することにより、軸受部材７２を変位させ、感光体ドラム２と定着ローラとの間の挟圧の分布を容易に調整することができる。【選択図】図４
2008058717.tif 000002
【特許請求の範囲】
【請求項１】
筐体と、
前記筐体に取り付けられ、記録紙が載置される給紙トレイと、
この給紙トレイに載置された記録紙を前記筐体内部に搬送する記録紙搬送機構と、
筐体内部に配され、この記録紙搬送機構により搬送された記録紙に画像を形成する画像形成部と、
装置各部を制御して記録紙に画像を形成させる制御部とを備え、
前記画像形成部は、
記録紙の搬送方向と略直交する主走査方向が長手方向となるように配され、表面に感光体層が形成された感光体ドラムと、
前記感光体ドラムの表面を略均一に帯電させる帯電手段と、
前記感光体ドラムの表面にレーザビームを走査させながら照射して潜像を形成するスキャンユニットと、
前記感光体ドラムの表面のうち潜像が形成された部分にトナーを付着させてトナー像を形成する現像装置と、
前記感光体ドラムの回転方向の前記現像装置よりも下流側の所定の転写位置において、前記感光体ドラムの表面に対向するように設けられ、前記感光体ドラムの表面に形成されたトナー像を記録紙上に転写させる転写ローラと、
前記転写ローラの回動軸の端部近傍を保持し、前記回動軸に対し略直交する方向に突出するように形成された突起部を有し、ばねにより前記感光体ドラムに向け付勢される軸受部材と、
前記筐体内部に配置され、前記転写ローラの回動軸の両端部に対応する部位に、それぞれ前記軸受部材の突起部が係合するように形成された係合部を有しているローラ保持部材と、
トナー像が転写された記録紙に所定の熱及び圧力を与えてトナー像を記録紙上に定着させる定着ローラとを有しており、
前記転写ローラは、前記回動軸の一端部に取り付けられている歯車に駆動力が加えられることにより回動するように構成されており、
前記軸受部材は、前記ローラ保持部材の係合部に前記突起部が係合した状態で、前記ローラ保持部材に保持されている画像形成装置において、
前記係合部のうち、前記回動軸の前記歯車が取り付けられていない側の端部の係合部には、主走査方向及び前記記録紙の搬送方向それぞれに対し略直交する方向に並んで配置され、前記突起部を位置決め可能な複数の調整部が設けられており、
前記軸受部材の突起部の前記調整部への位置決め位置を変更し、前記軸受部材の前記ローラ保持部材に対する位置を変位させ、前記感光体ドラムと前記転写ローラとの間の挟圧の分布を調整することにより、前記感光体ドラムと前記転写ローラとの間で発生する記録紙スキューを軽減可能に構成されていることを特徴とする画像形成装置。
【請求項２】
装置の筐体内部に、記録紙の搬送方向と略直交する主走査方向が長手方向となるように配され、表面に感光体層が形成された感光体ドラムと、
前記筐体内部の位置決め部に位置決めされて取り付けられた軸受部材によりその回動軸の端部近傍が保持された状態で、前記感光体ドラムに対向するように設けられた転写ローラとを有し、
潜像が形成された前記感光体ドラムの表面にトナーを付着させて現像し、前記感光体ドラムと前記転写ローラとで記録紙を挟圧して前記感光体ドラム表面上のトナーをその記録紙の表面に転写させ定着させることによって画像を形成する画像形成装置において、
前記位置決め部は、前記軸受部材の位置決め位置を変更可能に構成されており、
前記軸受部材が位置決めされる位置を変更することにより、前記感光体ドラムと前記転写ローラとの間の挟圧の分布を調整可能に構成されていることを特徴とする画像形成装置。
【請求項３】
前記転写ローラは、その回動軸の一端側に駆動力が伝達されて回動するように構成されており、
前記回動軸の他端側の端部を保持する軸受部材が位置決めされる位置を変更可能に構成されていることを特徴とする請求項２に記載の画像形成装置。
【発明の詳細な説明】
【技術分野】
【０００１】
本発明は、感光体ドラムに形成されたトナーを転写ローラにより記録紙上に転写して画像を形成する電子写真方式の画像形成装置に関する。
【背景技術】
【０００２】
電子写真方式により記録紙に画像を形成（プリント）する画像形成装置においては、感光体ドラムと転写ローラにより記録紙を挟んで搬送することにより、感光体ドラム上に形成されたトナー像をその記録紙上に転写する。このとき、感光体ドラムと転写ローラとに挟まれた記録紙に加わる挟圧の分布が一様でなく、例えば、記録紙の搬送方向両側部のうち片側に加わる挟圧が他方にかかる挟圧よりも大きければ、記録紙が斜行して搬送されやすくなる（記録紙スキュー）。記録紙スキューが発生した場合、記録紙に適正に画像を形成することができなかったり、また、記録紙ジャム等の動作不良が発生する場合がある。記録紙スキュー対策として、従来では、例えば、転写ローラの位置を調整可能にする部材を用いたりして、感光体ドラムと定着ローラとの間の挟圧の分布を調整可能にし、記録紙スキューが発生しても、それを補正可能に構成された画像形成装置が用いられている。
【０００３】
一方、比較的安価な画像形成装置では、低コスト化のため、簡易で、少ない組み立て工数で容易に製造可能な構成が用いられる。例えば、従来では、筐体内部に容易に取り付け可能な軸受部材により転写ローラの回動軸の両端部を保持するような構成を用いて、低コスト化を図っている。しかしながら、このような構成では、組み立て後に記録紙スキューが発生した場合に、それを補正することができず、画像形成装置の製造について歩留まりが悪くなってしまうという問題がある。
【０００４】
ここで、例えば特許文献１には、ローラ支持枠の両端部にテーパ形状の係止部を設け、ローラの位置を左右に調整することにより、ローラの角度を調整できるような構造が記載されている。しかしながら、転写ローラには、例えば、駆動力が伝達される歯車等がその回動軸に取り付けられており、転写ローラをその軸方向に移動させることはできないため、特許文献１に開示されている構成を上記転写ローラのスキュー調節に応用することができない。
【０００５】
特許文献２には、搬送ローラを支持している調整金具を中心付近でねじ止めし、これを支点として搬送ローラの角度を調整できるようにした構造が記載されている。また、特許文献３には、搬送ローラに対向する複数の従動ローラを有するバーの取り付け角度を装置の製造時に調整する構造が記載されている。しかしながら、特許文献２に記載の構成では、ローラの位置を調整するための調整金具等の部材を設けなければならず、画像形成装置の製造コストが増加してしまう。また、特許文献３に記載の構成は、複数のキャスタ動作可能な従動ローラの位置を調節可能にするものであり、上述のような感光体ドラムと転写ローラとの挟圧を変更するために適用可能なものではない。
【特許文献１】特開２００２−２９６４２号公報
【特許文献２】特開平５−４７４５号公報
【特許文献３】特開平５−２０１５８９号公報
【発明の開示】
【発明が解決しようとする課題】
【０００６】
本発明は、上記問題点を鑑みてなされたものであり、感光体ドラムと定着ローラとの間の挟圧の分布を調整可能であり、記録紙スキューの発生を軽減することができ、製造コストが低い画像形成装置を提供することを目的とする。
【課題を解決するための手段】
【０００７】
上記目的を達成するため、請求項１の発明は、筐体と、前記筐体に取り付けられ、記録紙が載置される給紙トレイと、この給紙トレイに載置された記録紙を前記筐体内部に搬送する記録紙搬送機構と、筐体内部に配され、この記録紙搬送機構により搬送された記録紙に画像を形成する画像形成部と、装置各部を制御して記録紙に画像を形成させる制御部とを備え、前記画像形成部は、記録紙の搬送方向と略直交する主走査方向が長手方向となるように配され、表面に感光体層が形成された感光体ドラムと、前記感光体ドラムの表面を略均一に帯電させる帯電手段と、前記感光体ドラムの表面にレーザビームを走査させながら照射して潜像を形成するスキャンユニットと、前記感光体ドラムの表面のうち潜像が形成された部分にトナーを付着させてトナー像を形成する現像装置と、前記感光体ドラムの回転方向の前記現像装置よりも下流側の所定の転写位置において、前記感光体ドラムの表面に対向するように設けられ、前記感光体ドラムの表面に形成されたトナー像を記録紙上に転写させる転写ローラと、前記転写ローラの回動軸の端部近傍を保持し、前記回動軸に対し略直交する方向に突出するように形成された突起部を有し、ばねにより前記感光体ドラムに向け付勢される軸受部材と、前記筐体内部に配置され、前記転写ローラの回動軸の両端部に対応する部位に、それぞれ前記軸受部材の突起部が係合するように形成された係合部を有しているローラ保持部材と、トナー像が転写された記録紙に所定の熱及び圧力を与えてトナー像を記録紙上に定着させる定着ローラとを有しており、前記転写ローラは、前記回動軸の一端部に取り付けられている歯車に駆動力が加えられることにより回動するように構成されており、前記軸受部材は、前記ローラ保持部材の係合部に前記突起部が係合した状態で、前記ローラ保持部材に保持されている画像形成装置において、
前記係合部のうち、前記回動軸の前記歯車が取り付けられていない側の端部の係合部には、主走査方向及び前記記録紙の搬送方向それぞれに対し略直交する方向に並んで配置され、前記突起部を位置決め可能な複数の調整部が設けられており、前記軸受部材の突起部の前記調整部への位置決め位置を変更し、前記軸受部材の前記ローラ保持部材に対する位置を変位させ、前記感光体ドラムと前記転写ローラとの間の挟圧の分布を調整することにより、前記感光体ドラムと前記転写ローラとの間で発生する記録紙スキューを軽減可能に構成されているものである。
【０００８】
請求項２の発明は、装置の筐体内部に、記録紙の搬送方向と略直交する主走査方向が長手方向となるように配され、表面に感光体層が形成された感光体ドラムと、前記筐体内部の位置決め部に位置決めされて取り付けられた軸受部材によりその回動軸の端部近傍が保持された状態で、前記感光体ドラムに対向するように設けられた転写ローラとを有し、潜像が形成された前記感光体ドラムの表面にトナーを付着させて現像し、前記感光体ドラムと前記転写ローラとで記録紙を挟圧して前記感光体ドラム表面上のトナーをその記録紙の表面に転写させ定着させることによって画像を形成する画像形成装置において、前記位置決め部は、前記軸受部材の位置決め位置を変更可能に構成されており、前記軸受部材が位置決めされる位置を変更することにより、前記感光体ドラムと前記転写ローラとの間の挟圧の分布を調整可能に構成されているものである。
【０００９】
請求項３の発明は、請求項２の発明において、前記転写ローラは、その回動軸の一端側に駆動力が伝達されて回動するように構成されており、前記回動軸の他端側の端部を保持する軸受部材が位置決めされる位置を変更可能に構成されているものである。
【発明の効果】
【００１０】
請求項１の発明によれば、軸受部材の突起部の複数の調整部への位置決め位置を変更することにより、軸受部材の位置を変更して感光体ドラムと転写ローラとの間の挟圧の分布を調整することができ、記録紙スキューを軽減することが可能になる。組み立て後に記録紙スキューが発生した場合であっても、容易にそれを補正することができるので、歩留まりを向上させることができる。また、ローラ保持部材の係合部に調整部が設けられていることで軸受部材の位置が変更可能であるので、転写ローラの配置を変更するための部材等を用いる必要がなく、画像形成装置を簡易な構成にすることができ、製造コストが高くなるのを避けることができる。転写ローラの端部のうち、歯車が設けられていない側を保持する軸受部材の位置が変更されるので、軸受部材の位置変更が転写ローラの回動に影響を及ぼすことなく、画像形成装置を確実に動作させることができる。
【００１１】
請求項２の発明によれば、軸受部材の位置を変更することにより前記感光体ドラムと前記転写ローラとの間の挟圧の分布を調整することができるので、記録紙スキューを軽減することが可能である。従って、簡易で製造コストが低い構成の画像形成装置において、組み立て後に記録紙スキューが発生した場合であっても、容易にそれを補正することができ、歩留まりを向上させることができる。
【００１２】
請求項３の発明によれば、転写ローラの端部のうち、歯車が設けられていない側を保持する軸受部材の位置が変更されるので、軸受部材の位置変更が転写ローラの回動に影響を及ぼすことなく、画像形成装置を確実に動作させることができる。
【発明を実施するための最良の形態】
【００１３】
以下、本発明の一実施形態について図面を参照して説明する。図１は、本実施形態に係る画像形成装置の一例を示す。この画像形成装置１は、いわゆるレーザビームプリンタであって、例えば外部のパーソナルコンピュータ等と接続され、そのパーソナルコンピュータ等から送られた画像データに基いて、電子写真方式で記録紙Ｐに画像を形成（プリント）する。画像形成装置１は、筐体１００の下部に配置され記録紙Ｐが略水平に載置される給紙カセット（給紙トレイ）１１０と、筐体１００の上部に設けられ筐体１００内から排出された記録紙Ｐが載置される排紙部１２０と、給紙カセット１１０に装填された記録紙Ｐを筐体１００内部に搬送する記録紙搬送機構２０と、記録紙搬送機構２０により搬送された記録紙Ｐに画像を形成する画像形成部１０と、例えばＣＰＵ、ＲＯＭ、ＲＡＭ等を有する電子回路で構成されており、装置各部の動作を制御し、記録紙Ｐに画像をプリントさせる制御部４０とを備えている。給紙カセット１１０は、筐体１００に対し引き出し自在に設けられている。この画像形成装置１は、給紙カセット１１０を筐体１００から引き出すことにより、記録紙Ｐを装填して載置可能になるように構成されている。なお、給紙カセット１１０の替わりに、記録紙Ｐを外部から差し込むようにして載置可能になるように筐体１００に固定されている給紙トレイを備えていてもよい。
【００１４】
記録紙搬送機構２０は、給紙カセット１１０の上方に配置されているピックアップローラ２１と、筐体１００の内部で記録紙Ｐを搬送する搬送ローラ２２と、筐体１００の上部の記録紙Ｐの搬送経路の下流端部に配置された排紙ローラ２３と、これらのローラを駆動するモータ（図示せず）等で構成されている。筐体１００の後方の上部及び下部には、記録紙Ｐを沿わせてその搬送方向を変更するための記録紙ガイド１５が配置されている。ピックアップローラ２１は、給紙カセット１１０に載置された記録紙Ｐのうち最も上方のものに当接して回動することにより、その記録紙Ｐを記録紙ガイド１５に沿って筐体１００内部に向け給紙する。そして、給紙された記録紙Ｐは、搬送ローラ２２により画像形成部１０に搬送され、画像形成部１０にて画像が形成された後、排紙ローラ２３により排紙部１２０上に排出される。
【００１５】
画像形成部１０は、表面に感光体層が形成された感光体ドラム２、クリーナ３、帯電器（帯電手段）４、スキャンユニット５、現像ブラシ（現像装置）６、転写ローラ７、転写ローラ７に対して記録紙Ｐの搬送方向の下流側に配置されている定着ローラ８等によって構成されている。これらの感光体ドラム２やローラ等は、記録紙Ｐの搬送方向（図に矢印Ｂで示す）に対し略直交する主走査方向が長手方向となるように、筐体１００の内部のフレームに取り付けられている。
【００１６】
クリーナ３は、感光体ドラム２の表面に付着している１行程（１回転）前のトナー及び紙粉を除去し、感光体ドラム２の表面を清掃する。帯電器４は、クリーナ３によって清掃された感光体ドラム２の表面を均一に帯電させる。スキャンユニット５は、レーザビームＬを、帯電器４によって帯電された感光体ドラム２の表面に走査させながら照射することにより、感光体ドラム２の表面上に潜像を形成する。なお、スキャンユニット５は、電源装置（図示せず）によって給電されており、その電源装置によりレーザビームＬを発光するための駆動電圧が印加される。現像ブラシ６は、トナーが充填されたトナーカートリッジ６ａに装着されており、感光体ドラム２の表面のうち潜像が形成された部分にトナーを付着させてトナー像を形成する。転写ローラ７は、感光体ドラム２の回転方向（図の矢印Ｒ方向）の現像ブラシ６よりも下流側の所定の転写位置において感光体ドラム２の表面に対向するように設けられている。転写ローラ７は、筐体１００の背面のパネルに固定されたローラ保持部材７１に取り付けられている。転写ローラ７は、記録紙Ｐを感光体ドラム２の表面に押圧しながら回動することにより記録紙Ｐの表面を帯電させて、感光体ドラム２の表面に形成されたトナー像を記録紙Ｐの上に転写させる。転写ローラ７には、記録紙Ｐの表面を帯電させるための転写電圧が電源装置より印加される。転写ローラ７によって表面に画像が形成された記録紙Ｐは、定着ローラ８に搬送される。定着ローラ８は、それに対向して配置された押圧ローラ８ａとの間に記録紙Ｐを挟みつつ、記録紙Ｐに熱と圧力を加えてトナーを定着させる。トナー定着のための熱は、定着ローラ８に内蔵されているヒータ（例えば、ハロゲンランプ等）から供給される。ヒータは、電源装置により定着電圧が印加されることにより発熱する。なお、感光体ドラム２、転写ローラ７、定着ローラ８、及び押圧ローラ８ａは、記録紙搬送機構２０のモータによる駆動力が伝達されて、記録紙Ｐが筐体１００の内部で所定の速度で搬送されるように構成されている。
【００１７】
図２、図３（ａ）、（ｂ）、図４は、この画像形成装置１の転写ローラ７を示す。各図の矢印Ａは主走査方向を示す。転写ローラ７は、回動軸７ａの一端部に取り付けられた歯車７ｂに記録紙搬送機構２０のモータによる駆動力が伝達されて回動する。図２に示すように、転写ローラ７は、回動軸７ａの歯車７ｂが取り付けられていない側の端部が軸受部材７２により保持され、回動軸７ａの歯車７ｂが取り付けられている側の端部の近傍部位が軸受部材７３により保持された状態で、各軸受部材７２，７３に対応して配置されたばね７４により感光体ドラム２に向け付勢されるようにしてローラ保持部材７１に取り付けられている。
【００１８】
ローラ保持部材７１は、例えば樹脂製であり、感光体ドラム２付近で搬送される記録紙Ｐをガイドする部材としても機能するように形成されている。ローラ保持部材７１の転写ローラ７が収納される部位の両側部のうち、転写ローラ７の回動軸７ａの両端部近傍に対応する部位には、それぞれ、軸受部材７２，７３を支えるための支持リブ７１ａが形成されており、それぞれの支持リブ７１ａの側部には、係合部（位置決め部）７１ｂが形成されている。係合部７１ｂは、回動軸７ａの端部それぞれに対応するように一対ずつ形成された貫通孔であって、それらの係合部７１ｂそれぞれが、後述するように軸受部材７２，７３と係合するように構成されている。
【００１９】
軸受部材７２，７３は、例えば樹脂製であり、それぞれ、係合部７１ｂに係合するように回動軸７ａに対し略直交する方向に突設された爪形状の突起部７２ａ，７３ａと、突起部７２ａ，７３ａが設けられておりユーザが指で摘む等して撓ませることができるように形成された一対の摘み部７２ｂ，７３ｂと、回動軸７ａと摺接する軸受面７２ｃ，７３ｃとを有している。軸受部材７２，７３は、軸受部材７２，７３とローラ保持部材７１との間それぞれに、ばね７４が自然長より圧縮されて配置された状態で、突起部７２ａ，７３ａが係合部７１ｂに係合され位置決めされて取り付けられている。このようにして、転写ローラ７は、軸受部材７２，７３により保持された状態で、ローラ保持部材７１に回動可能に取り付けられている。
【００２０】
軸受部材７２，７３は、回動軸７ａを保持するようにした状態で、一対の摘み部７２ｂ，７３ｂがユーザにより摘まれて撓み、突起部７２ａ，７３ａが回動軸７ａに近づくように変位した状態で、ローラ保持部材７１の支持リブ７１ａに沿うようにしてローラ保持部材７１に差し込まれる。そして、軸受部材７２，７３は、摘み部７２ｂ，７３ｂの撓みが解除され、係合部７１ｂに突起部７２ａ，７３ａが係合した状態で、ローラ保持部材７１に取り付けられる。本実施形態において、係合部７１ｂは、主走査方向と記録紙Ｐの搬送方向とに略直交する方向に長い長穴形状に形成されており、係合部７２ａ，７３ａが係合した状態で、軸受部材７２，７３が、それぞれ、支持リブ７１ａに沿いながら感光体ドラム２に対して近づいたり離れたりする方向（以下、挟圧方向と称する）に変位可能となるように構成されている。軸受部材７２，７３は、挟圧方向に変位可能であり、ばね７４の反発力により感光体ドラム２に向けて押し付けられる方向に付勢されていることにより、感光体ドラム２との間で、記録紙Ｐを所定の挟圧で挟むことができるように構成されている。
【００２１】
ここで、本実施形態において、係合部７１ｂのうち、回動軸７ａの歯車７ｂが取り付けられていない側の端部を保持する軸受部材７２が係合する係合部７１ｂには、図３（ａ）、（ｂ）に示すように、例えば係合部７１ｂ一箇所につき２対の調整突起（調整部）７１ｃが形成されている。２対の調整突起７１ｃは、それぞれ、係合部７１ｂの端縁部から突設されるように、挟圧方向に並んで配置されている。図４に示すように、互いに向きあい対をなす調整突起７１ｃ同士の間隔は、突起部７２ａの大きさよりも狭くなるように形成されており、この調整突起７１ｃに突起部７２ａを引っ掛けるようにして、突起部７２ａを位置決めすることができるように構成されている。
【００２２】
この画像形成装置１では、複数の調整突起７１ｃを利用して、突起部７２ａの調整突起７１ｃへの位置決め位置を変更し、突起部７２ａの係合部７１ｂの中での位置を微調整して、軸受部材７２のローラ保持部材７１に対する位置を変位させることにより、感光体ドラム２と転写ローラ７との間の主走査方向にわたっての挟圧の分布を調整することができるように構成されている。この挟圧の分布の調整は、軸受部材７２がローラ保持部材７１に取り付けられている状態において、ユーザが摘み部７２ｂを摘むこと等により撓ませて、突起部７２ａの係合部７１ｂへの係合が外れるようにし、その状態で、図４の矢印Ｓで示すように、軸受部材７２を支持リブ７１ａに沿わせながら変位させたのち、撓み部７２ｂの撓みを解除して、突起部７２ａが軸受部材７２の変位前とは異なる調整突起７１ｃにより位置決めされた状態にすることにより行われる。すなわち、このように軸受部材７２を挟圧方向に変位させることにより、感光体ドラム２と転写ローラ７の回動軸７ａの軸受部材７２により保持された側の端部との距離が変化し、感光体ドラム２の軸と回動軸７ａとのなす角を変化させて、感光体ドラム２と転写ローラ７との間の主走査方向にわたる挟圧の分布を調節することが可能になる。本実施形態においては、一箇所の係合部７１ｂにつき調整突起７１ｃが２対設けられているので、軸受部材７２の位置は３箇所の中から選ぶことができ、挟圧の分布を３段階に調節することができる。なお、調整突起７１ｃの数はこれに限られるものではなく、これより少なくても、これより多くてもよい。
【００２３】
このように、本実施形態においては、軸受部材７２の位置を変更して感光体ドラム２と転写ローラ７との間の挟圧の分布を調整することができるので、記録紙スキューを軽減することが可能になる。画像形成装置１の組み立て後に記録紙スキューが発生した場合であっても、容易にそれを補正することができるので、画像形成装置１の製造について歩留まりを向上させることができる。また、転写ローラ７の配置を変更するための部材等を別に用いる必要がないので、画像形成装置１を簡易な構成にすることができ、製造コストが高くなるのを避けることができる。転写ローラ７の端部のうち、歯車７ｂが設けられていない側を保持する軸受部材７２の位置が変更されるので、軸受部材７２の位置変更が転写ローラ７の回動に影響を及ぼすことなく、画像形成装置１を確実に動作させることができる。
【００２４】
なお、本発明は上記実施形態の構成に限定されるものではなく、発明の趣旨を変更しない範囲で適宜に種々の変形が可能である。例えば、転写ローラ７は、筐体１００のフレーム等に直接に軸受部材７２，７３が取り付けられることにより配置されていてもよい。また、軸受部材には、突起部の替わりに、筐体１００側に形成された突起部と係合可能な凹部が設けられており、この凹部と、筐体１００側に形成されている突起部とが係合することにより、軸受部材が位置決めされるように構成されていてもよい。すなわち、本発明においては、比較的安価な構成の画像形成装置であっても、転写ローラ７の端部近傍を保持する軸受部材が位置決めされる位置を変更して、感光体ドラム２と転写ローラ７との間の挟圧の分布を調整することにより、記録紙スキューを軽減することができる。
【図面の簡単な説明】
【００２５】
【図１】本発明の一実施形態に係る画像形成装置の一例を示す側面図。
【図２】上記装置の転写ローラを示す斜視図。
【図３】（ａ）は上記転写ローラの歯車が設けられていない端部近傍部位を示す斜視図、（ｂ）は（ａ）の異方向からの斜視図。
【図４】上記転写ローラの歯車が設けられていない端部近傍部位を示す平面図。
【符号の説明】
【００２６】
１  画像形成装置
２  感光体ドラム
４  帯電器（帯電手段）
５  スキャンユニット
６  現像装置
７  転写ローラ
７ａ  回動軸
７ｂ  歯車
８  定着ローラ
１０  画像形成部
２０  記録紙搬送機構
４０  制御部
７１  ローラ保持部材
７１ｂ  係合部（位置決め部）
７１ｃ  調整突起（調整部）
７２，７３  軸受部材
７２ａ，７３ａ  突起部
７４  ばね
１００  筐体
１１０  給紙カセット（給紙トレイ）
Ａ  主走査方向
Ｌ  レーザビーム
Ｐ  記録紙
【図１】
2008058717.tif 000003
【図２】
2008058717.tif 000004
【図３】
2008058717.tif 000005
【図４】
2008058717.tif 000006